(57)【特許請求の範囲】
【請求項１】
下ケースに上ケースを開閉自在に嵌合して構成されたケースを備え、該ケース内に光ファイバが導入される光電子機器であって、
上面に第１の収納穴が形成され、前記下ケース内に収納される送信機シャーシと、
前記光ファイバからの光信号が入力される回路部を備え、該回路部が前記送信機シャーシに内蔵される送信機部と、
前記光ファイバの余長部が収納され、下部に、前記送信機シャーシに形成されている前記第１の収納穴に嵌挿可能な複数のフックが形成されている余長収納トレイと、
前記上ケース内に収納され、上面に、前記余長収納トレイの前記フックが嵌挿可能な第２の収納穴が形成されている電源部シャーシと、
該電源部シャーシに内蔵される電源部とを備え、
前記余長収納トレイの前記フックを前記送信機シャーシに形成されている前記第１の収納穴に嵌挿することにより、前記送信機シャーシの上に前記余長収納トレイを着脱自在に取り付けられ、
前記下ケースと前記上ケースとが開いた状態において、前記余長収納トレイを前記送信機シャーシから取り外して、前記余長収納トレイの前記フックを、前記電源部シャーシに形成されている前記第２の収納穴に嵌挿することにより、前記余長収納トレイを前記電源部シャーシに仮止めできるようにしたことを特徴とする光電子機器。
【請求項２】
前記下ケース内に、前記送信機部がネジ手段により着脱自在に取り付けられていることを特徴とする請求項１記載の光電子機器。
【請求項３】
前記送信機部は、前記光ファイバからの光信号を受信して電気信号に変換する光受信部と、該光受信部から出力される電気信号を送信する送信部とを備え、前記電源部は、前記送信機部に電源を供給することを特徴とする請求項１記載の光電子機器。
【発明の詳細な説明】
【技術分野】
【０００１】
本発明は、光ファイバからの信号が入力される光電子機器に関するものである。
【背景技術】
【０００２】
２００３年１２月に開始された地上デジタル放送は、２００６年１２月に全国のデジタル親局の本放送が開始され、２０１１年７月に地上アナログ放送の終了に向けて、地上デジタル放送が安定して受信できるように中継網の整備が進められている。デジタル放送の電波が高層ビルや建造物で遮られたり、地理的条件によりデジタル放送が良好に受信できない場所の受信障害対策として極微少電力局（ギャップフィラー）が提案されている。ギャップフィラーは小規模な無線設備とされ、送信電力が０．０５Ｗ（原則０．０１Ｗ）以下のデジタル受信障害対策中継放送を行う放送局とされている。ギャップフィラーは、山間部等で地形により電波が遮られて受信できない辺地、ビルなどの建造物で電波が遮られて受信できない都市、地下街や地下鉄の構内およびトンネル内などの電波が遮蔽されている場所に設置される。ギャップフィラーは、受信点で受信された地上デジタル放送の信号を送信点で再放送しているが、受信点と送信点の距離が遠い場合には光ファイバにより受信点から送信点へ受信信号を伝送している。このため、ギャップフィラーには光ファイバが導入され、光ファイバを介して入力された光信号を受信する光受信回路が内蔵されている。
【０００３】
光ファイバが導入されるギャップフィラーにおいては、光ファイバの余長を収納する余長収納部を有している。余長収納部により、光ファイバ長に余裕を持たせる余長部を設けることができ、光ファイバを長く延ばすような接続変更等にそのまま対応できたり、光ファイバの接続作業で低損失接続が得られなかった場合に、光ファイバの接続端を切断してやり直しすることができる。さらに、保守作業等で光ファイバを傷めた場合でも損傷部分までを切断して再接続を可能とすることができる。なお、光ファイバは、曲げすぎると伝送特性が劣化し極端な場合には破断されることがあるため、光ファイバーの余長は、所定の曲げ半径を保つようにして余長収納部に収納されている。
【先行技術文献】
【特許文献】
【０００４】
【特許文献１】特開２００４−２５１９６８号公報
【発明の概要】
【発明が解決しようとする課題】
【０００５】
従来の余長収納部は、例えば樹脂トレイなどの専用のトレイに光ファイバの余長部を収納するようにしていた。この場合、余長収納部のトレイは光ファイバが外部から導入されることから最上段に配置されるため、光受信回路等の回路の調整がしづらいという問題点があった。また、回路の調整をする際に光ファイバが邪魔になったり破損させてしまう恐れがあった。さらに、光受信回路等の回路が故障した際には、回路を交換する必要があり、回路の交換の際には余長収納部に収納されている光ファイバの余長部を余長収納部から一度取り外して回路を交換し、ついで、光ファイバの余長部を余長収納部に再度収納しなければならず、その作業が繁雑になるという問題点があった。
【０００６】
そこで、本発明は、光電子機器に内蔵されている回路の設置、保守、点検、交換時の作業を容易に行うことができると共に、作業時に光ファイバを破損させることのない光電子機器を提供することを目的としている。
【課題を解決するための手段】
【０００７】
上記目的を達成するために、本発明の光電子機器は、下ケースに上ケースを開閉自在に嵌合して構成されたケースを備え、該ケース内に光ファイバが導入される光電子機器であって、上面に第１の収納穴が形成され、前記下ケース内に収納される送信機シャーシと、前記光ファイバからの光信号が入力される回路部を備え、該回路部が前記送信機シャーシに内蔵される送信機部と、前記光ファイバの余長部が収納され、下部に、前記送信機シャーシに形成されている前記第１の収納穴に嵌挿可能な複数のフックが形成されている余長収納トレイと、前記上ケース内に収納され、上面に、前記余長収納トレイの前記フックが嵌挿可能な第２の収納穴が形成されている電源部シャーシと、該電源部シャーシに内蔵される電源部とを備え、前記余長収納トレイの前記フックを前記送信機シャーシに形成されている前記第１の収納穴に嵌挿することにより、前記送信機シャーシの上に前記余長収納トレイを着脱自在に取り付けられ、前記下ケースと前記上ケースとが開いた状態において、前記余長収納トレイを前記送信機シャーシから取り外して、前記余長収納トレイの前記フックを、前記電源部シャーシに形成されている前記第２の収納穴に嵌挿することにより、前記余長収納トレイを前記電源部シャーシに仮止めできるようにしたことを最も主要な特徴としている。
【発明の効果】
【０００８】
本発明によれば、ケースに内蔵されている回路の設置、保守、点検、交換時の作業を行う際に、下ケースと上ケースとを開いた状態として、余長収納トレイのフックを第２の収納穴に嵌挿することで、光ファイバの余長部が収納された余長収納トレイを電源部シャーシに仮止めすることができることから、上記作業を容易に行うことができる。また、この作業時には光ファイバの余長部は作業の邪魔にならないため、作業時に光ファイバを破損させることを防止することができる。
【図面の簡単な説明】
【０００９】
【図１】本発明にかかる光電子機器の実施例である送信機の構成を示す平面図である。
【図２】本発明にかかる光電子機器の実施例である送信機の構成を示す側面図ある。
【図３】本発明にかかる送信機において下ケースから上ケースを開けた状態を示す平面図である。
【図４】本発明にかかる送信機において下ケースから上ケースを開けた状態を断面図で示す側面図である。
【図５】本発明にかかる送信機において送信機部を交換する際の作業工程を示す図である。
【図６】本発明にかかる送信機において送信機部を交換する際の作業工程を示す他の図である。
【図７】本発明の送信機における第１シャーシの構成を示す平面図である。
【図８】本発明の送信機における第１シャーシの構成を示す側面図である。
【図９】本発明の送信機における第２シャーシの構成を示す平面図である。
【図１０】本発明の送信機における第２シャーシの構成を示す側面図である。
【図１１】本発明の送信機におけるトレイシャーシの構成を示す平面図である。
【図１２】本発明の送信機におけるトレイシャーシの構成を示す正面図である。
【図１３】本発明の送信機におけるトレイシャーシの構成を示す側面図である。
【図１４】本発明の送信機におけるトレイシャーシの一部の構成を拡大して示す図である。
【図１５】本発明の送信機における電源部シャーシの構成を示す平面図である。
【図１６】本発明の送信機における電源部シャーシの構成を示す側面図である。
【図１７】本発明の送信機における電源部シャーシの構成を示す正面図である。
【図１８】本発明の送信機におけるクリップをトレイシャーシに装着する方法を示す図である。
【図１９】本発明の送信機におけるトレイシャーシに装着されたクリップの構成を示す図である。
【発明を実施するための形態】
【００１０】
本発明にかかる光電子機器の実施例である送信機１の構成を示す平面図を図１に、送信機１の構成を示す側面図を図２に示す。
これらの図に示す本発明にかかる送信機１は、前述したギャップフィラーの送信機とされ、金属製あるいは樹脂製の下ケース２と上ケース３からなるケースを備え、上ケース３は下ケース２に対して開閉自在に嵌合されている。ケースの長辺の一方に蝶番部が設けられており、この蝶番部により上ケース３の側部が下ケース２の側部に回動可能に枢支されて、上ケース３が下ケース２に対して開閉自在とされている。上ケース３を下ケース２に対して閉じた際には、上ケース３から複数本の取付ボルト５を下ケース２に螺着して固着することにより、防雨構造のケースが構成されている。下ケース２の一側面には光ファイバが導入される光ファイバ入力部４ａが設けられており、一側面と対向する側の側面には送信出力端子４ｂ、モニタ端子４ｃおよび電源入力部４ｄが設けられている。送信出力端子４ｂおよびモニタ端子４ｃは同軸端子とされ、送信出力端子４ｂに再送信用のアンテナが接続される。
【００１１】
本発明にかかる送信機１において下ケース２から上ケース３を開けた状態を図３および図４に示す。図３は下ケース２から上ケース３を開けた状態を示す平面図であり、図４は下ケース２から上ケース３を開けた状態を断面図で示す側面図である。
これらの図に示すように、下ケース２と上ケース３に設けられている蝶番部２ａにより、上ケース３の側部が下ケース２の側部に回動可能に枢支されて、下ケース２に対して上ケース３が開けられている。下ケース２に設けられている光ファイバ入力部４ａから下ケース２内に光ファイバ１１と光ファイバ用のメッセンジャワイヤ１１ａとが導入されており、メッセンジャワイヤ１１ａは下ケース２の一番下に固着された底板シャーシ３０に取付金具により固着されている。また、光ファイバ１１の余長部は下ケース２の一番上に収納されている余長収納トレイ１０に巻回されて収納される。余長収納トレイ１０は、金属製あるいは樹脂製とされて平板状に形成されたトレイシャーシ１０ａを有しており、トレイシャーシ１０ａの構成を図１１ないし図１４に示す。
【００１２】
図１１はトレイシャーシ１０ａの構成を示す平面図であり、図１２はトレイシャーシ１０ａの構成を示す正面図であり、図１３はトレイシャーシ１０ａの構成を示す側面図であり、図１４はトレイシャーシ１０ａの一部の構成を拡大して示す図である。
これらの図に示すトレイシャーシ１０ａには、クリップ１２を取り付ける複数のクリップ取付穴１４ａが所定位置に形成されており、ほぼ中央に摘み付きネジ１３が設けられている。また、相向かう短辺にはＬ字状のフック１０ｂが下方へ向けて段違いにそれぞれ形成されている。トレイシャーシ１０ａの短辺側における紙面の手前側は一部切り欠かれており、切り欠かれた右側の部位に溝部１４ｂが形成されている。摘み付きネジ１３とフック１０ｂの構成が拡大されて図１４に示されており、この図に示すように摘み付きネジ１３はトレイシャーシ１０ａの上面に固着された基部１３ｃと、頭部が拡径されてローレット加工され下部にネジが形成されており、基部１３ｃのほぼ中央に形成された貫通孔内に中央部が摺動自在に挿通されたネジ部１３ａと、ネジ部１３ａにおける頭部の下面と基部１３ｃの上面との間に配置されてネジ部１３ａを上方向に付勢しているコイル状のスプリング１３ｂとから構成されている。また、フック１０ｂはＬ字状に形成されており、Ｌ字状の先端が次第に細くなるよう斜面が形成されている。
【００１３】
図３および図４に戻り、このように構成されているトレイシャーシ１０ａのクリップ取付穴１４ａにそれぞれクリップ１２が装着されている。クリップ１２は、矩形の枠を有しておりこの枠内に光ファイバ１１を挿通して図３に示すように巻回することにより、光ファイバ１１の余長部を余長収納トレイ１０に収納することができる。ここで、クリップ１２の構成を図１８および図１９に示す。
図１８はクリップ１２をトレイシャーシ１０ａに装着する方法を示す図であり、図１９はトレイシャーシ１０ａに装着されたクリップ１２の構成を示す図である。これらの図に示すように、樹脂製のクリップ１２はほぼ矩形の挿通枠１２ａと、クリップ１２をトレイシャーシ１０ａに取り付ける係止片１２ｂと弾接片１２ｃとから構成されている。挿通枠１２ａは、１辺にフック１２ｄが形成されて開閉自在とされており、フック１２ｄを外して挿通枠１２ａを開けて挿通枠１２ａ内に光ファイバ１１を挿通し、フック１２ｄを係合することで、閉じた挿通枠１２ａ内に光ファイバ１１を挿通することができる。係止片１３ｃは、先端に向かって次第に細くなるよう形成されており、根本には平坦な係止面が形成されて構成されている。また、弾接辺１２ｃは、水平に延伸された辺部が次第に下方へ向かうよう折曲されて構成されている。
【００１４】
トレイシャーシ１０ａにクリップ１２を取り付ける際には、トレイシャーシ１０ａのクリップ取付穴１４ａに係止片１２ｂの先端を当接し、クリップ１２を若干傾けて傾けた下方方向へ力を加えて係止片１２をクリップ取付穴１４ａに押し込んでいく。これにより、係止片１２ｂにおける左右が撓んでクリップ取付穴１４ａを通り抜けるようになる。この際に、弾接片１２ｃがトレイシャーシ１０ａの上面に当接して平坦になるよう変形することから、弾接片１２ｃは係止片１２ｂに上方へ向かう付勢力を与える。これにより、クリップ取付穴１４を通り抜けた係止片１２ｂの根本の平坦な面がトレイシャーシ１０ａの裏面に当接する。このようにして、トレイシャーシ１０ａに取り付けられた状態が図１９に示されており、複数のクリップ１２を上述のようにしてトレイシャーシ１０ａに取り付け、その挿通枠１２ａのフック１２ｄを外して、複数のクリップ１２の挿通枠１２ａ内に光ファイバ１１の余長部を巻回して全てのクリップ１２におけるフックを係合することにより、図３に示すように余長収納トレイ１０に光ファイバ１１の余長部を収納することができる。なお、余長収納トレイ１０から引き出された光ファイバ１１の端部には光プラグが設けられている。
【００１５】
この光プラグは、送信機部２０の上部を構成する第２シャーシ２０ｂの上面に固着されている光コネクタ２１に着脱自在に装着されて、光ファイバ１１を伝達してきた光信号が送信機部２０に入力される。送信機部２０は、余長収納トレイ１０と底板シャーシ３０との間に配置されて、送信機部２０が下ケース２内に収納されている。この送信機部２０は、光コネクタ２１を介して入力された光信号を電気信号に変換する光−電気変換回路を有する光受信部と、この光−電気変換回路で変換された電気信号を所定の周波数帯域の送信信号に変換する送信回路を有する送信部とを備えている。光受信部と送信部の回路は、第１シャーシ２０ａと、第２シャーシ２０ｂと、第３シャーシ２０ｃとからなる送信機シャーシに所定単位の回路に分割して内蔵されている。そこで、第１シャーシ２０ａの構成を図７および図８に示し、第２シャーシ２０ｂの構成を図９および図１０に示す。
【００１６】
図７は第１シャーシ２０ａの構成を示す平面図であり、図８は第１シャーシ２０ａの構成を示す側面図である。
これらの図に示すように、第１シャーシ２０ａは金属板を加工して作成されており、所定の深さを有し紙面で示す左手前が切り取られた箱状の形状に形成されている。第１シャーシ２０ａは、側板２４ｃで区切られた複数の部屋を有するように構成されており、それぞれの部屋は、金属板とされる側板２４ｃで囲まれて形成されていることから、それぞれの部屋がシールド部２４ａとなっている。各シールド部２４ａには、単位とされる回路のプリント基板が組み込まれる。各シールド部２４ａの上縁には複数の取付片２４ｂが内側に向かって突出するように形成されており、この取付片２４ｂに第２シャーシ２０ｂの挿通孔２５ｅに挿通されたネジが螺着されることにより、第２シャーシ２０ｂにより第１シャーシ２０ａの上部が電気的に閉じられるようになる。
【００１７】
図９は第２シャーシ２０ｂの構成を示す平面図であり、図１０は第２シャーシ２０ｂの構成を示す側面図である。
これらの図に示すように、第２シャーシ２０ｂは金属板を加工して作成されたシャーシ板２５ａを備え、シャーシ板２５ａは第１シャーシ２０ａの形状に合わせて紙面で示す左手前が切り取られた平板状に形成されている。シャーシ板２５ａには、送信機部２０を下ケース２に固着するためのＴｘ取付ネジ２２を挿通する２つのネジ挿通孔２５ｂと、余長収納トレイ１０のＬ字状のフック１０ｂが嵌挿される細長い矩形状の収納穴２５ｃが２つ形成されている。また、シャーシ板２５ａには、多数の挿通孔２５ｅが形成されており、この挿通孔２５ｅにネジを挿通して第１シャーシ２０ａの取付片２４ｂに螺着することにより、第２シャーシ２０ｂを第１シャーシ２０ａに取り付けることができる。さらに、シャーシ板２５ａのほぼ中央部には余長収納トレイ１０の摘み付きネジ１３が螺着されるネジ部２５ｄが設けられている。
【００１８】
余長収納トレイ１０を第２シャーシ２０ｂに取り付ける際には、第２シャーシ２０ｂ上に余長収納トレイ１０を載置して位置合わせすることにより、２カ所に設けられているフック１０ｂをそれぞれ第２シャーシ２０ｂの収納穴２５ｃ内に挿通する。そして、余長収納トレイ１０を紙面の手前側にスライドすることによりフック１０ｂが収納穴２５ｃの裏面に係合して抜け出ないようになると共に、摘み付きネジ１３がネジ部２５ｄに位置合わせされる。そこで、摘み付きネジ１３をスプリング１３ｂに抗して押し下げてネジ部２５ｄに螺着することにより、余長収納トレイ１０を第２シャーシ２０ｂに固着することができる。これにより、図３および図４に示すように送信機部２０の上部に余長収納トレイ１０を固着することができる。なお、余長収納トレイ１０と第２シャーシ２０ｂとのスペーサとして図４に示すように第２シャーシ２０ｂに複数の樹脂ネジ２３が螺着されている。この樹脂ネジ２３の頭部がスペーサとして機能すると共に、樹脂製の頭部は平滑とされていることから余長収納トレイ１０を第２シャーシ２０ｂ上において滑らかにスライドすることができるようになる。
【００１９】
図３および図４に戻り、上ケース３内には電源部４０が収納されており、電源部４０は電源回路が内蔵されている電源部シャーシ４１を備え、電源部シャーシ４１の上面には細長い矩形状の収納穴４０ａが両側に段違いに形成されている。電源部シャーシ４１の構成を図１５ないし図１７に示す。
図１５は電源部シャーシ４１の構成を示す平面図であり、図１６は電源部シャーシ４１の構成を示す側面図であり、図１７は電源部シャーシ４１の構成を示す正面図である。これらの図に示すように、電源部シャーシ４１は直方体状の電源回路収納部４１ａを備え、長辺側の底縁からそれぞれ取付用の細長い板が外側へ延伸されている。電源回路収納部４１ａの上面には、余長収納トレイ１０のフック１０ｂの位置に対応する位置に細長い矩形状の収納穴４０ａが２つ段違いに形成されている。また、電源回路収納部４１ａ内に内蔵される電源回路基板が取り付けられる複数の取付片４１ｂが電源回路収納部４１ａの下部に内側に向かって形成されている。
【００２０】
次に、送信機部２０を交換する際の作業工程を図５および図６を参照しながら説明する。
図５および図６は下ケース２から上ケース３を開けた状態を断面図で示す側面図であり、図５には余長収納トレイ１０を送信機部２０の第２シャーシ２０ｂから取り外した状態が示されている。余長収納トレイ１０を送信機部２０の第２シャーシ２０ｂから取り外す際には、まず、光ファイバ１１の端部に設けられている光プラグを光コネクタ２１から取り外す。次いで、摘み付きネジ１３を緩めて第２シャーシ２０ｂのネジ部２５ｄから外すと、スプリング１６ｂの作用によりネジ部１３ａは基部１３ｃから押し上げられた状態となる。これにより、ネジ部１３ａが邪魔になることなく第２シャーシ２０ｂに対して余長収納トレイ１０をスライドすることができ、スライドした後にフック１０ｂを収納穴２５ｃから抜き出すことで、図示するように余長収納トレイ１０を送信機部２０の第２シャーシ２０ｂから上方へ取り外すことができる。
【００２１】
次いで、取り外した余長収納トレイ１０を上ケース３上に移動して余長収納トレイ１０の２本のフック１０ｂの位置合わせを行って、それぞれ電源部４０の上面に形成されている収納穴４０ａ内に挿通させる。そして、フック１０ｂが収納穴４０ａに係合するよう余長収納トレイ１０をスライドすることにより、光ファイバ１１の余長部が収納されたままの余長収納トレイ１０を電源部４０上に仮止めすることができる。この状態において、２本のＴｘ取付ネジ２２を緩めて下ケース２から取り外すと、図６に示すように送信機部２０を下ケース２内から上方へ取り外すことができる。そして、交換した送信機部２０を上述と逆の順序で下ケース２内に取り付け、仮止めした余長収納トレイ１０を上述と逆の順序で送信機部２０上に固着することにより、送信機部２０を簡易な作業を行うだけで交換することができる。
なお、図６に示すように送信機部２０の下面には金属製の第３シャーシ２０ｃが固着されて電気的に閉じられており、第１シャーシ２０ａの上面が第２シャーシ２０ａで、下面が第３シャーシ２０ｃで覆われている送信機部２０では、各基板が収納されているシールド部２４ａが外部からノイズ等を受けないように電気的にシールドされるようになる。また、送信機部２０を下ケース２から取り外してもメッセンジャワイヤ１１ａが取り付けられている底板シャーシ３０は下ケース２内に固着されていることから、メッセンジャワイヤ１１ａを外すことなく送信機部２０を交換可能とすることができる。
【産業上の利用可能性】
【００２２】
以上の説明では、光電子機器をギャップフィラーの送信機としたが、本発明はこれに限るものではなく光ケーブルの余長部を収納する余長収納部を備える光電子機器に適用することができる。
【符号の説明】
【００２３】
１  送信機、２  下ケース、２ａ  蝶番部、３  上ケース、４ａ  光ファイバ入力部、４ｂ  送信出力端子、４ｃ  モニタ端子、４ｄ  電源入力部、５  取付ボルト、１０  余長収納トレイ、１０ａ  トレイシャーシ、１０ｂ  フック、１１  光ファイバ、１１ａ  メッセンジャワイヤ、１２  クリップ、１２  係止片、１２ａ  挿通枠、１２ｂ  係止片、１２ｃ  弾接片、１２ｃ  弾接辺、１２ｄ  フック、１３  摘み付きネジ、１３ａ  ネジ部、１３ｂ  スプリング、１３ｃ  係止片、１３ｃ  基部、１４ａ  クリップ取付穴、１４ｂ  溝部、１６ｂ  スプリング、２０  送信機部、２０ａ  第１シャーシ、２０ｂ  第２シャーシ、２０ｃ  第３シャーシ、２１  光コネクタ、２２  Ｔｘ取付ネジ、２３  樹脂ネジ、２４ａ  シールド部、２４ｂ  取付片、２４ｃ  側板、２５ａ  シャーシ板、２５ｂ  ネジ挿通孔、２５ｃ  収納穴、２５ｄ  ネジ部、２５ｅ  挿通孔、３０  底板シャーシ、４０  電源部、４０ａ  収納穴、４１  電源部シャーシ、４１ａ  電源回路収納部、４１ｂ  取付片
【図１】
0005280574.tif 000002
【図２】
0005280574.tif 000003
【図３】
0005280574.tif 000004
【図４】
0005280574.tif 000005
【図５】
0005280574.tif 000006
【図６】
0005280574.tif 000007
【図７】
0005280574.tif 000008
【図８】
0005280574.tif 000009
【図９】
0005280574.tif 000010
【図１０】
0005280574.tif 000011
【図１１】
0005280574.tif 000012
【図１２】
0005280574.tif 000013
【図１３】
0005280574.tif 000014
【図１４】
0005280574.tif 000015
【図１５】
0005280574.tif 000016
【図１６】
0005280574.tif 000017
【図１７】
0005280574.tif 000018
【図１８】
0005280574.tif 000019
【図１９】
0005280574.tif 000020